【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
第１のレンズ装置および第２のレンズ装置に対応する撮像装置であって、
複数の電気接点が配列されたマウント部を有し、
前記複数の電気接点は、レンズ装置と第１の通信を行うために用いられる第１の電気接点群と、レンズ装置と前記第１の通信とは異なる通信を行うために用いられ前記第１の電気接点群に含まれる電気接点を含まない第２の電気接点群と、を有し、
前記撮像装置は、
前記第１の電気接点群を用いた通信を、前記第１のレンズ装置および前記第２のレンズ装置のいずれとも行い、
前記第２の電気接点群を用いた通信を、前記第２のレンズ装置とは行うが前記第１のレンズ装置とは行わず、
前記撮像装置に前記第２のレンズ装置を直接装着する際の前記撮像装置に対する前記第２のレンズ装置の回転方向を第１の方向としたとき、
前記第２の電気接点群と前記第１の電気接点群は、前記第１の方向に向かって前記第２の電気接点群、前記第１の電気接点群の順に配列されていることを特徴とする撮像装置。
【請求項２】
前記撮像装置は、レンズ装置を制御するための制御コマンドを前記第１の電気接点群を用いた通信によって送信することを特徴とする請求項１に記載の撮像装置。
【請求項３】
前記第２の電気接点群は、
データを送受信可能な電気接点と、
前記第２の電気接点群を用いた通信に関するタイミングを通知するための電気接点と、を含むことを特徴とする請求項１または２に記載の撮像装置。
【請求項４】
前記第２のレンズ装置を含む複数のアクセサリが装着された状態において、前記撮像装置は第２の電気接点群を用いた通信によって前記複数のアクセサリと通信を行なうことを特徴とする請求項３に記載の撮像装置。
【請求項５】
前記第２の電気接点群を用いた通信は、前記複数のアクセサリおよび前記撮像装置のうちの１つから他の全ての装置に対してデータを送信するブロードキャスト通信であり、
前記タイミングは、前記ブロードキャスト通信を開始するタイミングを含むことを特徴とする請求項４に記載の撮像装置。
【請求項６】
前記第２の電気接点群を用いた通信は、前記複数のアクセサリおよび前記撮像装置のうちの１つから他の全ての装置に対してデータを送信するブロードキャスト通信であり、
前記タイミングは、前記他の全ての装置においてデータの受信準備が完了したタイミングを含むことを特徴とする請求項４または５に記載の撮像装置。
【請求項７】
前記第２の電気接点群を用いた通信は、前記複数のアクセサリのうちの１つと前記撮像装置との間で行われるＰ２Ｐ通信であり、
前記タイミングは、前記Ｐ２Ｐ通信でのデータ送信側の装置においてデータの送信が完了したタイミングを含むことを特徴とする請求項４に記載の撮像装置。
【請求項８】
前記第２の電気接点群を用いた通信は、前記複数のアクセサリのうちの１つと前記撮像装置との間で行われるＰ２Ｐ通信であり、
前記タイミングは、前記Ｐ２Ｐ通信でのデータ受信側の装置においてデータの受信準備が完了したタイミングを含むことを特徴とする請求項４または７に記載の撮像装置。
【請求項９】
前記第１の電気接点群は、クロック信号を出力可能な電気接点と、
前記クロック信号に同期してデータを送信可能な電気接点と、
前記クロック信号に同期して送信されたデータを受信可能な電気接点と、を含むことを特徴とする請求項１乃至８のいずれか一項に記載の撮像装置。
【請求項１０】
前記複数の電気接点は、前記第１の電気接点群に対して前記第２の電気接点群とは反対側に配置された、
レンズ装置が装着されたか否かを判定するために用いられる電気接点と、
レンズ装置の種類を判別するために用いられる電気接点と、レンズ装置に電力を供給するための電気接点と、
前記電力のグラウンドレベルを定めるための電気接点と、を含むことを特徴とする請求項１乃至９のいずれか一項に記載の撮像装置。
【請求項１１】
第１のレンズ装置および第２のレンズ装置に対応する撮像装置であって、
複数の電気接点が配列されたマウント部を有し、
前記複数の電気接点は、レンズ装置と第１の通信を行うために用いられる第１の電気接点群と、レンズ装置と前記第１の通信とは異なる通信を行うために用いられ前記第１の電気接点群に含まれる電気接点を含まない第２の電気接点群と、を有し、
前記撮像装置は、
前記第１の電気接点群を用いた通信を、前記第１のレンズ装置および前記第２のレンズ装置のいずれとも行い、
前記第２の電気接点群を用いた通信を、前記第２のレンズ装置とは行うが前記第１のレンズ装置とは行わず、
前記複数の電気接点は、前記撮像装置に前記第２のレンズ装置を直接装着する際に、前記第１の電気接点群と前記第２のレンズ装置に設けられた電気接点とが接触する前に、前記第２の電気接点群と前記第２のレンズ装置に設けられた電気接点が接触するように配列されていることを特徴とする撮像装置。
【請求項１２】
前記撮像装置は、前記マウント部に設けられ前記複数の電気接点を保持する接点保持部を有し、
前記接点保持部は前記複数の電気接点に含まれる電気接点をそれぞれ保持する二つの段を備え、
前記複数の電気接点は、前記第１の電気接点群の前記第２の電気接点群とは反対側であって前記第１の電気接点群と同じ段に設けられた、レンズ装置が装着されたか否かを判定するために用いられる電気接点を含むことを特徴とする請求項１乃至１１のいずれか一項に記載の撮像装置。
【請求項１３】
前記撮像装置は前記マウント部に設けられ前記複数の電気接点を保持する接点保持部を有し、
前記接点保持部は前記複数の電気接点に含まれる電気接点をそれぞれ保持する二つの段を備え、
前記複数の電気接点は、前記第１の電気接点群の前記第２の電気接点群とは反対側であって前記第１の電気接点群が設けられている段とは異なる段に設けられた、レンズ装置に電力を供給する二つの電気接点を含むことを特徴とする請求項１乃至１２のいずれか一項に記載の撮像装置。
【請求項１４】
前記撮像装置は、前記第１のレンズ装置を、中間アクセサリを介してのみ装着できるように構成されていることを特徴とする請求項１乃至１３のいずれか一項に記載の撮像装置。
【請求項１５】
撮像装置に装着可能なレンズ装置であって、
前記撮像装置は、第１のレンズ装置および第２のレンズ装置に対応しており、
前記撮像装置は、
前記撮像装置に設けられた複数の電気接点のうちの一部である第１の電気接点群を用いた通信を、前記第１のレンズ装置および前記第２のレンズ装置のいずれとも行い、
前記前記撮像装置に設けられた複数の電気接点のうちの一部であり前記第１の電気接点群を含まない第２の電気接点群を用いた通信を、前記第２のレンズ装置とは行うが前記第１のレンズ装置とは行わず、
前記レンズ装置は、前記撮像装置と結合可能なマウント部を有し、
前記マウント部には、前記撮像装置と前記第１の電気接点群を用いた通信を行なうための第３の電気接点群を含む複数の電気接点が設けられており、
前記レンズ装置に設けられた複数の電気接点は、前記撮像装置に前記レンズ装置を直接装着する際に、前記第３の電気接点群に含まれる電気接点が前記第２の電気接点群に含まれる電気接点と接触した後に前記第１の電気接点群に含まれる電気接点と接触するように配列されていることを特徴とするレンズ装置。
【請求項１６】
前記レンズ装置は、前記マウント部に設けられ前記複数の電気接点を保持する接点保持部を有し、
前記接点保持部は前記複数の電気接点に含まれる電気接点をそれぞれ保持する二つの段を備え、
前記複数の電気接点は、前記第３の電気接点群と同じ段に設けられた、前記レンズ装置が装着されたことを示すために用いられる電気接点を含むことを特徴とする請求項１５に記載のレンズ装置。
【請求項１７】
前記レンズ装置は前記マウント部に設けられ前記複数の電気接点を保持する接点保持部を有し、
前記接点保持部は前記複数の電気接点に含まれる電気接点をそれぞれ保持する二つの段を備え、
前記複数の電気接点は、前記第３の電気接点群と異なる段に設けられた、それぞれ電力の供給を受けるために用いられる二つの電気接点を含むことを特徴とする請求項１５または１６に記載のレンズ装置。
【請求項１８】
撮像装置とレンズ装置の間に装着可能なアクセサリであって、
前記撮像装置は、第１のレンズ装置および第２のレンズ装置に対応しており、
前記撮像装置は、
前記撮像装置に設けられた複数の電気接点のうちの一部である第１の電気接点群を用いた通信を、前記第１のレンズ装置および前記第２のレンズ装置のいずれとも行い、
前記前記撮像装置に設けられた複数の電気接点のうちの一部であり前記第１の電気接点群を含まない第２の電気接点群を用いた通信を、前記第２のレンズ装置とは行うが前記第１のレンズ装置とは行わず、
前記アクセサリは、前記撮像装置に直接装着された状態で前記第１の電気接点群に含まれる電気接点と接触する電気接点から成る第４の電気接点群を含む複数の電気接点が配列されたマウント部を有し、
前記第４の電気接点群に含まれる電気接点は、前記撮像装置に前記アクセサリを装着する際に、前記第２の電気接点群に含まれる電気接点と接触した後に前記第１の電気接点群に含まれる電気接点と接触するように前記マウント部に配列されていることを特徴とするアクセサリ。
【請求項１９】
前記アクセサリは前記マウント部に設けられ前記複数の電気接点を保持する接点保持部を有し、
前記接点保持部は前記複数の電気接点に含まれる電気接点をそれぞれ保持する二つの段を備え、
前記複数の電気接点は、前記第４の電気接点群と同じ段に設けられた、前記レンズ装置が装着されたことを示すために用いられる電気接点を含むことを特徴とする請求項１８に記載のアクセサリ。
【請求項２０】
前記アクセサリは前記マウント部に設けられ前記複数の電気接点を保持する接点保持部を有し、
前記接点保持部は前記複数の電気接点に含まれる電気接点をそれぞれ保持する二つの段を備え、
前記複数の電気接点は、前記第４の電気接点群と異なる段に設けられた、それぞれ電力の供給を受けるために用いられる二つの電気接点を含むことを特徴とする請求項１８または１９に記載のアクセサリ。
【請求項２１】
カメラシステムであって、
撮像装置と、前記撮像装置に取り外し可能に装着されるレンズ装置を含み、
前記撮像装置は、レンズ装置と第１の通信を行うために用いられる第１の電気接点群と、レンズ装置と前記第１の通信とは異なる通信を行うために用いられ前記第１の電気接点群に含まれる電気接点を含まない第２の電気接点群と、を含む複数の電気接点が配列された第１のマウント部を有し、
前記レンズ装置は、前記第１のマウント部と結合可能であって、前記撮像装置と前記第１の電気接点群を用いた通信を行なうための第３の電気接点群を含む複数の電気接点が配列された第２のマウント部を有し、
前記撮像装置は、前記第１の電気接点群を用いた通信が可能であり前記第２の電気接点群を用いた通信が不能である第１のレンズ装置と、前記第１の電気接点群を用いた通信および前記第２の電気接点群を用いた通信が可能な第２のレンズ装置と、に対応しており、
前記撮像装置にレンズ装置を直接装着する際の撮像装置に対するレンズ装置の回転方向を第１の方向としたとき、
前記第２の電気接点群と前記第１の電気接点群は、前記第１の方向に向かって前記第２の電気接点群、前記第１の電気接点群の順に配列されていることを特徴とするカメラシステム。
【手続補正２】
【補正対象書類名】明細書
【補正対象項目名】０００８
【補正方法】変更
【補正の内容】
【０００８】
本発明の撮像装置は、第１のレンズ装置および第２のレンズ装置に対応する撮像装置であって、複数の電気接点が配列されたマウント部を有し、前記複数の電気接点は、レンズ装置と第１の通信を行うために用いられる第１の電気接点群と、レンズ装置と前記第１の通信とは異なる通信を行うために用いられ前記第１の電気接点群に含まれる電気接点を含まない第２の電気接点群と、を有し、前記撮像装置は、前記第１の電気接点群を用いた通信を、前記第１のレンズ装置および前記第２のレンズ装置のいずれとも行い、前記第２の電気接点群を用いた通信を、前記第２のレンズ装置とは行うが前記第１のレンズ装置とは行わず、前記撮像装置に前記第２のレンズ装置を直接装着する際の前記撮像装置に対する前記第２のレンズ装置の回転方向を第１の方向としたとき、前記第２の電気接点群と前記第１の電気接点群は、前記第１の方向に向かって前記第２の電気接点群、前記第１の電気接点群の順に配列されていることを特徴とする。
【手続補正３】
【補正対象書類名】明細書
【補正対象項目名】０００９
【補正方法】変更
【補正の内容】
【０００９】
本発明の他の撮像装置は、第１のレンズ装置および第２のレンズ装置に対応する撮像装置であって、複数の電気接点が配列されたマウント部を有し、前記複数の電気接点は、レンズ装置と第１の通信を行うために用いられる第１の電気接点群と、レンズ装置と前記第１の通信とは異なる通信を行うために用いられ前記第１の電気接点群に含まれる電気接点を含まない第２の電気接点群と、を有し、前記撮像装置は、前記第１の電気接点群を用いた通信を、前記第１のレンズ装置および前記第２のレンズ装置のいずれとも行い、前記第２の電気接点群を用いた通信を、前記第２のレンズ装置とは行うが前記第１のレンズ装置とは行わず、前記複数の電気接点は、前記撮像装置に前記第２のレンズ装置を直接装着する際に、前記第１の電気接点群と前記第２のレンズ装置に設けられた電気接点とが接触する前に、前記第２の電気接点群と前記第２のレンズ装置に設けられた電気接点が接触するように配列されていることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００８６
【補正方法】変更
【補正の内容】
【００８６】
電気接点３００４および電気接点４００４は、カメラ本体１００のＶＤＤ端子１００１からレンズ装置３００に通信電力を供給するために用いられる端子である。中間アクセサリ装置４００においてＶＤＤ端子２００１は電気接点４００４までスルー配線されると共に、中間アクセサリ装置４００内のアダプタ電源部４０３にも接続されている。アダプタ電源部４０３はアダプタ制御部４０１およびアダプタ操作入力部に供給する電源として３．０Ｖの電源を生成する。以下、電気接点３００４および電気接点４００４をＶＤＤ端子３００４およびＶＤＤ端子４００４とも称する。なお、本実施形態において、ＶＤＤ端子１００１によってレンズ装置２００に供給される電力の電圧は５．０Ｖである。
【手続補正６】
【補正対象書類名】明細書
【補正対象項目名】００８８
【補正方法】変更
【補正の内容】
【００８８】
電気接点３００８および電気接点４００８は、カメラ本体１００とレンズ装置３００の通信制御系をグラウンドに接続するための端子である。つまり、ＶＤＤ端子に対応した接地端子である。中間アクセサリ装置４００においてＤＧＮＤ端子２０１２は電気接点４００８までスルー配線されている。以下、電気接点３００８および電気接点４００８をＤＧＮＤ端子３００８およびＤＧＮＤ端子４００８とも称する。